(57)【要約】【課題】運用モードで取り扱う現金に関する処理のデータの紛失を防止する。【解決手段】現金に関する処理が行われる場合に設定される運用モード、及びメンテナンスが行われる場合に設定される保守モードの２つの動作モードで稼動する現金処理装置１であって、可搬記録媒体であるＵＳＢメモリ２１が装着される装着部としてのＵＳＢコントローラ１１と、ＵＳＢメモリ２１が何れの動作モードで用いられるのかを判定する動作モード判定部３１と、動作モード判定部３１が判定した動作モードで稼動するように制御する動作モード制御部３２と、を備えることを特徴とする。【選択図】図３
2015043153.tif 000002
【特許請求の範囲】
【請求項１】
現金に関する処理が行われる場合に設定される運用モード、及びメンテナンスが行われる場合に設定される保守モードの２つの動作モードで稼動する現金処理装置であって、
可搬記録媒体が装着される装着部と、
前記装着部に装着された前記可搬記録媒体が何れの動作モードで用いられるのかを判定する動作モード判定部と、
前記動作モード判定部が判定した動作モードで稼動するように制御する動作モード制御部と、
を備えることを特徴とする現金処理装置。
【請求項２】
前記動作モード判定部は、前記可搬記録媒体に記録された動作モード情報を読み出し、読み出した前記動作モード情報から前記可搬記録媒体が何れの動作モードで用いられるのかを判定する、
ことを特徴とする請求項１に記載の現金処理装置。
【請求項３】
前記動作モード情報は、現金処理装置を識別する装置固有ＩＤ、又は保守の担当を識別する保守ベンダ固有ＩＤであり、
前記動作モード判定部は、前記装置固有ＩＤを読み出せた場合に前記可搬記録媒体が運用モードで用いられると判定し、前記保守ベンダ固有ＩＤが読み出せた場合に前記可搬記録媒体が保守モードで用いられると判定する、
ことを特徴とする請求項２に記載の現金処理装置。
【請求項４】
自己を識別する自己装置固有ＩＤが記憶された不揮発性記憶部をさらに備え、
前記動作モード制御部は、前記装置固有ＩＤを読み出せた場合に、読み出した前記装置固有ＩＤと前記不揮発性記憶部に記憶された前記自己装置固有ＩＤとを比較し、一致しない場合に運用モードの稼動を停止する、
ことを特徴とする請求項３に記載の現金処理装置。
【請求項５】
前記動作モード制御部は、保守モードで稼動した後に電源ＯＦＦ及び電源ＯＮの実行が行われていない場合に、前記可搬記録媒体と異なる新たな可搬記録媒体から装置固有ＩＤを読み出せた場合でも運用モードに移行させない、
ことを特徴とする請求項３又は請求項４の現金処理装置。
【請求項６】
現金に関する処理が行われる場合に設定される運用モード、及びメンテナンスが行われる場合に設定される保守モードの２つの動作モードで稼動する現金処理装置の制御方法であって、
前記現金処理装置は、可搬記録媒体が装着される装着部を備え、
前記装着部に装着された前記可搬記録媒体が何れの動作モードで用いられるのかを判定し、前記判定した動作モードで稼動するように制御する、
ことを特徴とする現金処理装置の制御方法。
【発明の詳細な説明】
【技術分野】
【０００１】
本発明は、現金処理装置及びその制御方法に関するものである。例えば、本発明は、小売店、スーパーマーケット、セルフガソリンスタンド等の商業施設のバックヤードに設置され、キャッシュレジスタ等の釣銭準備金を出金したり、売上金を入金したりする現金処理装置に適用し得るものである。
【背景技術】
【０００２】
従来から、小売店等の商業施設のバックヤードには、ＰＯＳレジやネットレジ等のようなキャッシュレジスタ（以下、単にレジスタともいう）の現金を取り込み、当日の売上金を計数する現金処理装置が設置されている。
【０００３】
この現金処理装置は、例えば、現金に関する処理が行われる場合に設定される運用モード、及び、装置のメンテナンスが行われる場合に設定される保守モードの２つのモードで稼動する。
【０００４】
運用モードの現金処理装置は、例えば、店員が店舗の開店前に、各レジスタに釣銭準備金を収めるために釣銭出金を行ない、又、店舗の閉店後に、各レジスタにある現金を取り込むように構成されている。つまり、現金処理装置は、入金額（すなわち、売上金＋釣銭出金額）の計上を行い、入金額から釣銭出金額を差し引くことで当日の売上金の額を計上するものである。そして、店長等の管理者は、現金処理装置から売上金を回収し、回収した売上金を金融機関等に入金する。
【０００５】
保守モードでは、例えば、保守ベンダ（メンテナンス会社）の社員（保守者）が、部品の清掃や装置の稼動状況の調査を行う。また、修理会社の社員（修理者）が、故障した部品の交換を行う。
【０００６】
一方、可搬記録媒体（例えば、ＵＳＢメモリ）を装着する装着部（例えば、ＵＳＢポート）を備えた警備端末装置において、ＵＳＢポートへの装着状態を検出する検出手段を有し、ＵＳＢポートにＵＳＢメモリが装着されたことを検出した場合に、運用モードから保守モードに切り替えて保守作業を行う保守方法が提案されていた（特許文献１参照）。
【先行技術文献】
【特許文献】
【０００７】
【特許文献１】特開２００６−３０９５３１号公報
【発明の概要】
【発明が解決しようとする課題】
【０００８】
しかしながら、ＵＳＢメモリが装着されたことの検出をトリガとしてモードを切り替えている特許文献１に記載された警備端末装置の保守方法を、現金処理装置に適用することは問題である。
【０００９】
つまり、現金処理装置では、運用モードにおいても装着部（例えば、ＵＳＢポート）に可搬記録媒体（例えば、ＵＳＢメモリ）を装着するのが通常であるからである。それは、運用モードにおける現金に関する処理のデータをＵＳＢメモリに記録しておき、万一の事故が発生した場合に、このＵＳＢメモリに記録されたデータを用いて調査が行えるようにする為である。
【００１０】
その為、特許文献１に記載された保守方法を現金処理装置に適用する場合、運用モードにおいて管理者が装着するＵＳＢメモリ（運用ＵＳＢメモリ）の代わりに、保守モードにおいて保守者や修理者が装着するＵＳＢメモリ（保守用ＵＳＢメモリ）が装着された状態で運用モードが稼動する可能性がある。この場合、運用モードで取り扱う現金に関する処理のデータがＵＳＢメモリに書き込まれてしまい、現金処理装置から削除されることがあるという問題があった。
【００１１】
本発明は、前記問題に鑑みてなされたものであり、運用モードで取り扱う現金に関する処理のデータの紛失を防止する、現金処理装置及びその制御方法を提供することを課題とする。
【課題を解決するための手段】
【００１２】
前記課題を解決するため、本発明に係る現金処理装置は、現金に関する処理が行われる場合に設定される運用モード、及びメンテナンスが行われる場合に設定される保守モードの２つの動作モードで稼動する現金処理装置（１）であって、可搬記録媒体（２１）が装着される装着部（１１）と、前記装着部に装着された前記可搬記録媒体が何れの動作モードで用いられるのかを判定する動作モード判定部（３１）と、前記動作モード判定部が判定した動作モードで稼動するように制御する動作モード制御部（３２）と、を備えることを特徴とする。但し、括弧内の符号は例示である。
【００１３】
この現金処理装置は、前記動作モード判定部が、前記可搬記録媒体に記録された動作モード情報（例えば、装置固有ＩＤ（Identification）、保守ベンダ固有ＩＤ、ファイル名、拡張子等）を読み出し、読み出した前記動作モード情報から前記可搬記録媒体が何れの動作モードで用いられるのかを判定するようにするのがよい。
【発明の効果】
【００１４】
本発明によれば、運用モードで取り扱う現金に関する処理のデータの紛失を防止することができる。
【図面の簡単な説明】
【００１５】
【図１】実施形態に係る現金処理装置の現金処理装置を用いた現金管理システムを説明するための図である。
【図２】実施形態に係る現金処理装置の概略斜視図である。
【図３】実施形態に係る現金処理装置の概略ブロック図である。
【図４】実施形態に係る現金処理装置に装着されるＵＳＢメモリのデータ構成を説明する為の図であり、図４（ａ）は運用ＵＳＢメモリのデータ構成図であり、図４（ｂ）は保守用ＵＳＢメモリのデータ構成図である。
【図５】実施形態に係る現金処理装置の起動時のフローチャート（１）である。
【図６】実施形態に係る現金処理装置の起動時のフローチャート（２）である。
【発明を実施するための形態】
【００１６】
以下、本発明の実施をするための形態を、適宜図面を参照しながら詳細に説明する。
各図は、本発明を十分に理解できる程度に、概略的に示してあるに過ぎない。よって、本発明は、図示例のみに限定されるものではない。また、参照する図面において、本発明を構成する部材の寸法は、説明を明確にするために誇張して表現されている場合がある。なお、各図において、共通する構成要素や同様な構成要素については、同一の符号を付し、それらの重複する説明を省略する。
【００１７】
［実施形態］
≪実施形態に係る現金処理装置の構成≫
実施形態に係る現金処理装置を用いた現金管理システムを図１に示す。現金管理システム３は、１台（複数台でも可）の現金処理装置１が通信線路４により集中管理装置２に接続された構成となっている。
【００１８】
集中管理装置２は、現金処理装置１を管理するものである。例えば、集中管理装置２は、現金処理装置１から現金不足による補充要求や現金満杯による回収要求を受信する。そして、集中管理装置２が、現金処理装置１からこれらのデータを受信した場合に、担当者が現金処理装置１に現金を補充したり、現金処理装置１から現金を回収したりする。
【００１９】
現金処理装置１は、小売店、スーパーマーケット、セルフガソリンスタンド等の商業施設のバックヤードに設置され、キャッシュレジスタ等の釣銭準備金を出金したり、売上金を入金したりするものである。図２は、実施形態に係る現金処理装置１の概略斜視図である。現金処理装置１は、正面視で右側に配置される紙幣ユニット１ａと、正面視で左側に配置される硬貨ユニット１ｂと、を主に備えて構成される。それ以外の構成については後記する。
【００２０】
紙幣ユニット１ａは、紙幣投入口から投入された紙幣の金種判定や真偽判定を行う。そして、紙幣ユニット１ａは、本物と鑑定された紙幣を金種毎にカセットに格納し、偽物と判定された紙幣をリジェクト庫に格納する。
【００２１】
硬貨ユニット１ｂは、硬貨投入口から投入された硬貨の金種判定や真偽判定を行う。そして、硬貨ユニット１ｂは、本物と鑑定された硬貨を金種毎にそれぞれ格納し、偽物と判定された硬貨をリジェクト庫に格納する。
【００２２】
続いて、図３を参照して、現金処理装置１のそれ以外の構成について説明する。図３は、実施形態に係る現金処理装置の概略ブロック図である。
現金処理装置１は、ＣＰＵ１０内に、ＵＳＢコントローラ１１と、ＬＣＤコントローラ１２と、ブザーＩ／Ｆ１３と、タッチパネルＩ／Ｆ１４と、ＢＳＣ（バスステートコントローラ）Ｉ／Ｆ１５とが内蔵されている。
【００２３】
ＵＳＢコントローラ１１には可搬記録媒体であるＵＳＢメモリ２１が接続され、ＬＣＤコントローラ１２にはＬＣＤモジュール２２が接続され、ブザーＩ／Ｆ１３にはブザー２３が接続され、タッチパネルＩ／Ｆ１４にはタッチパネル制御回路２４ａを介してタッチパネル２４ｂが接続され、ＢＳＣ−Ｉ／Ｆ１５には不揮発性記憶部としてのＦＬＡＳＨメモリ２５、２つのＲＡＭ（Random Access Memory）２６、不揮発性記憶部としてのＢＢＭ（バッテリバックアップメモリ）２７、及びその他のＩ／ＯデバイスがＩ／Ｆ素子２８を介して接続されている。
【００２４】
以下では、現金に関する処理が行われる場合に設定される運用モード時にＵＳＢコントローラ１１に常時接続されるＵＳＢメモリ２１を、特に「運用ＵＳＢメモリ２１ａ」と呼ぶ場合がある。図４（ａ）は運用ＵＳＢメモリ２１ａのデータ構成図である。運用ＵＳＢメモリ２１ａは、正しい現金処理装置１を識別する装置固有ＩＤと、現金処理装置の動作記録が時系列に記録されている装置動作記録ファイルとで構成されている。
【００２５】
装置固有ＩＤは、例えば、数字及び英字で構成されるシリアルナンバーである。この装置固有ＩＤは、運用ＵＳＢメモリ２１ａにのみ記録され、運用モードで用いられるＵＳＢメモリであることを示す情報（動作モード情報）である。
装置動作記録ファイルは、現金処理に関するあらゆる処理が記録され、万一の現金事故が発生した場合に解決のための調査に使用する唯一の情報源となる。その為、装置動作記録ファイルの紛失は厳に防止する必要がある。
【００２６】
一方、現金処理装置１のメンテナンスが行われる場合に設定される保守モード時にＵＳＢコントローラ１１に接続されるＵＳＢメモリ２１を、特に「保守用ＵＳＢメモリ２１ｂ」と呼ぶ場合がある。図４（ｂ）は保守用ＵＳＢメモリ２１ｂのデータ構成図である。保守用ＵＳＢメモリ２１ｂは、保守ベンダ（メンテナンス会社）を識別する保守ベンダ固有ＩＤと、メンテナンス作業で用いる種々の情報が記録されている保守用ファイルとで構成されている。保守用ファイルは、例えば、現金処理装置１の動作時間、交換部品の使用時間、処理紙幣枚数、処理硬貨枚数、動作エラー時の内容・日時・メモリダンプが装置固有ＩＤ毎に格納され、保守ベンダの管理に使用される。
【００２７】
保守ベンダ固有ＩＤは、数字及び英字で構成される識別番号である。この保守ベンダ固有ＩＤは、保守用ＵＳＢメモリ２１ｂにのみ記録され、保守モードで用いられるＵＳＢメモリであることを示す情報（動作モード情報）である。保守用ファイルはメンテナンスの内容によっては、保守用ＵＳＢメモリに記録されていなくてもよい。
【００２８】
ＬＣＤモジュール２２は、ＣＰＵ１０の命令に従い様々な画面を表示する。ブザー２３は、ＣＰＵ１０の命令に従い肯定／否定の意味を持たせた２種類の音を出力する。タッチパネル２４ｂは、現金処理装置１の利用者の選択に応じた入力情報がＣＰＵに入力されるように接続されている。
【００２９】
ＦＬＡＳＨメモリ２５は、現金処理装置１を動作させるプログラムが格納されている。ＲＡＭ２６は、ＦＬＡＳＨメモリ２５に格納されるプログラムがＣＰＵ１０によって読み出され、展開される。ＢＢＭ２７には、自己の現金処理装置１を識別する装置固有ＩＤが記録されている。
【００３０】
ＣＰＵ１０は、ＲＡＭ２６に読み出されて展開されたプログラムを順次実行することにより、様々な機能を実現する。図３では、本発明に関連する動作モード部３０のみを図示し、他の一般的な機能の記載を省略している。
動作モード部３０は、動作モード判定部３１と、動作モード制御部３２とを備える。ここでは、これらの機能の概略のみを説明し、その詳細は後記する動作モードの制御において説明する。
【００３１】
動作モード判定部３１は、現金処理装置１に装着されたＵＳＢメモリ２１が何れの動作モード（運用モード、保守モード）で用いられるのかを判定する。例えば、動作モード判定部３１は、現金処理装置１の電源が投入された場合に、ＵＳＢメモリ２１内部に書き込まれている装置固有ＩＤ及び装置動作記録ファイルの読み出しを行い、ＢＢＭ２７内の装置固有ＩＤと合致すれば、正常に運用ＵＳＢメモリ２１ａが装着されていると判定する。また、動作モード判定部３１は、ＵＳＢメモリ２１内部の装置固有ＩＤが読み出せなければ、次ステップとして保守ベンダ固有ＩＤの読み出しを行い、正常に読み出せれば保守ＵＳＢメモリ２１ｂが装着されていると判定する。その為、現金処理装置１は、ＵＳＢコントローラ１１へＵＳＢメモリ２１が接続されている事を確認する手段として、装着状態を検出する方法だけではない。
【００３２】
動作モード制御部３２は、動作モード判定部３１が判定した動作モードで現金処理装置１が稼働するように制御する。例えば、動作モード制御部３２は、現金処理装置１の電源が投入された場合に、動作モード判定部３１により装置固有ＩＤが合致したと判定されたら運用モードで現金処理装置１を稼動させ、保守ベンダ固有ＩＤが読み出せた場合に保守モードで現金処理装置１を稼動させる。一方、装置固有ＩＤが合致せず、また保守ベンダ固有ＩＤを読み出せない場合には、動作モード制御部３２は、ＵＳＢメモリ２１が故障しているか、又は本装置用ではない他のＵＳＢメモリ２１が取り付けられていると判断し、その旨をＬＣＤモジュールに表示し装置を動作停止する。その際に、ブザー２３が否定のブザー音を鳴動するようにしてもよい。
【００３３】
しかしながら、動作モード制御部３２は、現金処理装置１が保守モードで稼動した場合においては、電源ＯＦＦ／ＯＮの動作が実行された後でなければ保守モードから運用モードへの移行を行わない。すなわち、運用モードで稼動させる為には、動作モード判定部３１による正常に運用ＵＳＢメモリ２１ａが装着されているか否かの判定を行うようにする。その為に、動作モード制御部３２は、保守モードにて現金処理装置１を起動した場合、保守モードでの作業終了後に運用モードへ移行するには、電源ＯＦＦ／ＯＮを実行する以外の選択肢をなくし、保守用ＵＳＢメモリ２１ｂを装着したまま運用モードへ移行することが出来ないようにする。例えば、動作モード制御部３２は、保守モード終了メニューが表示されたら、自動的に電源ＯＦＦされ、必ず、利用者が電源ＯＮを実行するような構成にする。
以上で、実施形態に係る現金処理装置１の構成についての説明を終了する。
【００３４】
≪実施形態に係る現金処理装置の動作モードの制御≫
図５及び図６を参照して、実施形態に係る現金処理装置１の動作モードの制御について説明する。図５及び図６は、実施形態に係る現金処理装置１の起動時のフローチャートである。
【００３５】
現金処理装置１の電源が利用者（店員、保守者等）により投入される（ステップＳ１０）。現金処理装置１は、ＣＰＵ１０によってＦＬＡＳＨメモリ２５内に書き込まれたプログラムがＲＡＭ２６内に読み出され、展開、実行される（ステップＳ２０）。これにより、ＣＰＵ１０内に動作モード判定部３１、及び動作モード制御部３２の機能が実現される。
【００３６】
続いて、現金処理装置１は、デバイス（ＵＳＢメモリ２１を含む）の装着の有無を順次確認していく（ステップＳ３０）。ここで、ＵＳＢメモリ２１の装着の確認として、現金処理装置１の動作モード判定部３１は、ＵＳＢコントローラ１１を介してＵＳＢメモリ２１が接続されているか否かを判定する（ステップＳ４０）。ＵＳＢメモリ２１が接続されているとき（ステップＳ４０で“Ｙｅｓ”）には、処理はステップＳ５０（図６参照）に進む。一方、ＵＳＢメモリ２１が接続されていないとき（ステップＳ４０で“Ｎｏ”）には、処理はステップＳ６０に進み、動作モード判定部３１は、ＵＳＢメモリ２１ではない又はＵＳＢメモリ２１が物理故障していると判断する。そして、動作モード制御部３２は、その旨をＬＣＤモジュール２２に表示し装置を動作停止する（ステップＳ６０）。この際に、ブザー２３が否定のブザー音を鳴動するようにしてもよい。
【００３７】
ＵＳＢメモリ２１が接続されている（ステップＳ４０で“Ｙｅｓ”）と判定された場合に、動作モード判定部３１は、ＵＳＢメモリ２１から装置固有ＩＤが読み出せるか否かを判定する（ステップＳ５０）。装置固有ＩＤが読み出せたとき（ステップＳ５０で“Ｙｅｓ”）には、処理はステップＳ７０に進み、一方、装置固有ＩＤが読み出せないとき（ステップＳ５０で“Ｎｏ”）には、処理はステップＳ１３０に進む。
【００３８】
装置固有ＩＤが読み出せた（ステップＳ５０で“Ｙｅｓ”）と判定された場合に、動作モード判定部３１は、読み出した装置固有ＩＤとＢＢＭ２７で保持されている装置固有ＩＤとが同一であるか否かを判定する（ステップＳ７０）。装置固有ＩＤが同一であるとき（ステップＳ７０で“Ｙｅｓ”）には、処理はステップＳ８０に進む。一方、装置固有ＩＤが同一でないとき（ステップＳ７０で“Ｎｏ”）には、処理はステップＳ９０に進み、動作モード判定部３１は、異なる装置のＵＳＢメモリ２１が装着されていると判断する。そして、動作モード制御部３２は、その旨をＬＣＤモジュール２２に表示し装置を動作停止する（ステップＳ９０）。この際に、ブザー２３が否定のブザー音を鳴動するようにしてもよい。
【００３９】
装置固有ＩＤが同一である（ステップＳ７０で“Ｙｅｓ”）と判定された場合に、動作モード判定部３１は、装置動作記録ファイルが読み出せるか否かを判定する（ステップＳ８０）。装置動作記録ファイルが読み出せるとき（ステップＳ８０で“Ｙｅｓ”）には、処理はステップＳ１００に進み、動作モード判定部３１は、本装置用の運用ＵＳＢメモリ２１ａが正常に装着されていると判断する。そして、動作モード制御部３２は、次デバイスの確認に移行する（ステップＳ１００）。一方、装置動作記録ファイルが読み出せないとき（ステップＳ８０で“Ｎｏ”）には、処理はステップＳ１１０に進み、動作モード判定部３１は、ＵＳＢメモリ２１のログ（装置動作記録ファイル）が壊れていると判断する。そして、動作モード制御部３２は、その旨をＬＣＤモジュール２２に表示すると共にＢＢＭ２７に記録し、次デバイスの確認に移行する（ステップＳ１１０）。
【００４０】
ステップＳ１００又はステップＳ１１０に続いて、動作モード判定部３１は、運用に必要な全てのデバイスが接続されていることを確認する（ステップＳ１２０）。そして、動作モード制御部３２は、現金処理装置１を運用モードへ移行する（運用モードとして稼働させる）。なお、ステップＳ１１０でログ（装置動作記録ファイル）が壊れていると判断された場合には、上位装置である集中管理装置２（図１）に報告するようにしてもよい。
【００４１】
一方、ステップＳ５０で装置固有ＩＤが読み出せない（ステップＳ５０で“Ｎｏ”）と判定された場合に、動作モード判定部３１は、保守ベンダ固有ＩＤが読み出せるか否かを判定する（ステップＳ１３０）。保守ベンダ固有ＩＤが読み出せるとき（ステップＳ１３０で“Ｙｅｓ”）には、処理はステップＳ１４０に進み、動作モード判定部３１は、保守ＵＳＢメモリ２１ｂが装着されていると判断する。そして、動作モード制御部３２は、その旨をＬＣＤモジュールに表示し、現金処理装置１を保守モードへ移行する（保守モードとして稼働させる）（ステップＳ１４０）。一方、保守ベンダ固有ＩＤが読み出せないとき（ステップＳ１３０で“Ｎｏ”）には、処理はステップＳ１５０に進み、動作モード判定部３１は、本用途ではない保守用ＵＳＢメモリ２１ｂ又はＵＳＢメモリ２１が物理故障していると判断する。そして、動作モード制御部３２は、その旨をＬＣＤモジュール２２に表示し装置を動作停止する（ステップＳ１５０）。この際に、ブザー２３が否定のブザー音を鳴動するようにしてもよい。
【００４２】
利用者は、ステップＳ１４０で移行した保守モードを終了する場合に、保守モード終了メニューから保守モードの終了を選択する。この際、動作モード制御部３２は、保守モード終了メニューを表示すると、自動的に電源ＯＦＦを実行し、利用者が必ず電源ＯＮを実行するようにする（Ｓ１６０）。なお、動作モード制御部３２は、保守モード終了メニューにおいて、利用者に対して電源ＯＦＦ／ＯＮを利用者に実行させる旨の表示をＬＣＤモジュール２２に行わせるようにしてもよい。そして、ステップＳ１６０で利用者により電源ＯＮが実行されると、処理はステップＳ２０に戻る。
以上で、実施形態に係る現金処理装置１の動作モードの制御についての説明を終了する。
【００４３】
以上説明したように、実施形態に係る現金処理装置１は、電源ＯＮされた場合に、装着されているＵＳＢメモリ２１に記憶されるＩＤにより稼動する動作モード（運用モード／保守モード）を選択する。その為、現金処理装置１は、装着するＵＳＢメモリ２１に応じた動作モード切替（運用モード／保守モード）を行うことができる。
【００４４】
また、実施形態に係る現金処理装置１は、運用モードでの稼働を開始する前に正常な運用ＵＳＢメモリが装着されていることを確認する。その為、現金処理装置１は、記録必須な装置動作記録ファイルが紛失することを防止することができる。
また、実施形態に係る現金処理装置１は、装置固有ＩＤの照合を行う。その為、現金処理装置１は、間違って装着した運用ＵＳＢメモリ２１ａへ装置動作記録ファイルを記録することを防止できる。
【００４５】
さらに、実施形態に係る現金処理装置１は、保守ベンダ固有ＩＤを照合してから保守モードでの稼働を開始するようにしている。その為、現金処理装置１は、保守用ＵＳＢメモリ２１ｂが保守キーの役割を果たしており、利用者を保守員として証明することができる。
また、現金処理装置１は、保守モードから運用モードへの移行を禁止し、電源ＯＦＦ／ＯＮの実行を必須にしている。その為、現金処理装置１は、保守用ＵＳＢメモリ２１ｂを装着したまま運用モードで稼働を開始してしまうことを防止できる。
【００４６】
［変形例］
以上、本発明の実施形態について説明したが、本発明はこれに限定されるものではなく、特許請求の範囲の趣旨を変えない範囲で実施することができる。実施形態の変形例の一例を以下に示す。
【００４７】
実施形態では、可搬記録媒体としてＵＳＢメモリ２１を用いる場合を説明した。しかしながら、可搬記録媒体は、ＵＳＢメモリ２１に限られず種々の記録媒体を用いることが可能である。例えば、ＣＤ（Compact Disk）、ＤＶＤ（Digital Versatile Disk）、メモリーカード等を用いることもできる。
【００４８】
また、実施形態では、動作モード情報として装置固有ＩＤや保守ベンダ固有ＩＤを用いる場合を説明した。しかしながら、動作モード情報は、装置固有ＩＤや保守ベンダ固有ＩＤに限られず種々の情報を用いることが可能である。例えば、ＵＳＢメモリ２１に記録されるファイル名や拡張子を運用モード及び保守モードで異ならせて、ファイル名や拡張子を動作モード情報として用いることもできる。
【００４９】
また、実施形態では、現金処理装置１が稼動する動作モードとして「運用モード」及び「保守モード」の二つの場合を説明した。しかしながら、現金処理装置１がそれ以外の動作モードを含めた三つ以上の動作モードで稼動することも可能である。
【００５０】
また、実施形態では、ＢＢＭ（バッテリバックアップメモリ）２７に装置固有ＩＤが記録されている場合を説明したが、装置固有ＩＤは、現金処理装置１の他の構成に記録することも可能である。
【００５１】
［参考例］
また、実施形態では、電源ＯＦＦ／ＯＮ時にＵＳＢメモリ２１に記録される動作モード情報を判定していたが、ＵＳＢメモリ２１の読み出し、書き込みのタイミングで、動作モード情報を判定するようにしてもよい。この際に、ＵＳＢメモリ２１が挿入されていなければ、アラームを出してＵＳＢメモリ２１の挿入を要求したり、次の書き込みタイミングで書き込むようにしてもよい。なお、書き込みを行わなかったことを、上位装置である集中管理装置２に報告するようにしてもよい。
【符号の説明】
【００５２】
１      現金処理装置
２      集中管理装置
１０    ＣＰＵ（制御部）
１１    ＵＳＢコントローラ
１２    ＬＣＤコントローラ
１３    ブザーＩ／Ｆ
１４    タッチパネルＩ／Ｆ
１５    ＢＳＣ−Ｉ／Ｆ
２１    ＵＳＢメモリ（可搬記録媒体）
２１ａ  運用ＵＳＢメモリ
２１ｂ  保守用ＵＳＢメモリ
２２    ＬＣＤモジュール
２３    ブザー
２４ｂ  タッチパネル
２５    ＦＬＡＳＨメモリ
２６    ＲＡＭ
２７    ＢＢＭ（不揮発性記憶部）
３１    動作モード判定部
３２    動作モード制御部
【図１】
2015043153.tif 000003
【図２】
2015043153.tif 000004
【図３】
2015043153.tif 000005
【図４】
2015043153.tif 000006
【図５】
2015043153.tif 000007
【図６】
2015043153.tif 000008